(57)【要約】      （修正有）【課題】スリッパを洗濯した後の脱水乾燥時間を短くすることができるスリッパを提供する。【解決手段】このスリッパ１０のスリッパ本体部１２の底側にはソール部１４が配設されている。このソール部１４の上にはソール部１４と共にスリッパ本体部１２を構成する中敷部１６が配設されている。この中敷部１６の上にはソール部１４と中敷部１６と共にスリッパ本体部１２を構成する上敷部１８が配設されている。ソール部１４の底面１４Ａから中敷部１６の上面１６Ａには垂直状の貫通孔２６が複数貫通形成されている。スリッパ本体部１２の前部には足を掛けるアッパー部２８が配設されている。【選択図】図３
0003134810.tif 000002
【実用新案登録請求の範囲】
【請求項１】
スリッパ本体部と、このスリッパ本体部を構成すると共に前記スリッパ本体部の底側に配設されたソール部と、このソール部と共に前記スリッパ本体部を構成すると共に前記ソール部の上に配設された中敷部と、前記ソール部の底面から中敷部の表面に向けて貫通形成された複数の貫通孔と、前記スリッパ本体部の前部に設けられたアッパー部と、を有してなることを特徴とするスリッパ。
【請求項２】
スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたメッシュ素材製の上敷部と、前記ソール部の底面から中敷部の上面に向けて貫通形成された複数の貫通孔と、前記スリッパ本体部の前部に配設されると共にメッシュ素材製のアッパー部と、を有してなることを特徴とするスリッパ。
【請求項３】
スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたハニカムメッシュ素材製の上敷部と、前記ソール部の底面から中敷部の上面に向けて貫通形成された複数の貫通孔と、前記スリッパ本体部の前部に配設されると共にハニカムメッシュ素材製のアッパー部と、を有してなることを特徴とするスリッパ。
【請求項４】
スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたハニカムメッシュ素材製の上敷部と、前記ソール部の底面から中敷部の上面に向けて貫通形成された複数の貫通孔と、前記スリッパ本体部の前部に配設されると共にハニカムメッシュ素材製のアッパー部と、前記上敷部の表面を覆う布素材で形成されたスリッパ本体部カバー布と、前記アッパー部の表面を覆う布素材で形成されたアッパー部カバー布と、を有してなることを特徴とするスリッパ。
【考案の詳細な説明】
【技術分野】
【０００１】
本考案は、スリッパに関し、詳しくは洗濯した後の脱水乾燥時間を短くすることができるスリッパに関する。
【背景技術】
【０００２】
室内等で履くスリッパは、足を載せるスリッパ本体部とスリッパ本体部部の前部にアーチ状に設けられて足を掛けるアッパー部から形成されている。このスリッパのスリッパ本体部のソール部の上にはウレタン等の芯材を内蔵した上敷部が配設されている。
従って、このタイプのスリッパを洗濯機で洗濯した場合は上敷部内のウレタンが吸水してしまう。
このため、前記スリッパを洗濯機等で洗濯した後に脱水機で脱水しても上敷部内のウレタンを脱水するには時間が長くなると共に乾燥時間が長くなるため、前記スリッパの脱水乾燥時間が長くなるという不具合がある。
【考案の開示】
【考案が解決しようとする課題】
【０００３】
本考案は、上記事実に鑑みなされたものでありスリッパを洗濯した後の脱水乾燥時間を短くすることができるスリッパを提供するものである。
【課題を解決するための手段】
【０００４】
請求項１の考案は、スリッパ本体部と、このスリッパ本体部を構成すると共に前記スリッパ本体部の底側に配設されたソール部と、このソール部と共に前記スリッパ本体部を構成すると共に前記ソール部の上に配設された中敷部と、前記ソール部の底面から中敷部の表面に向けて貫通形成された複数の貫通孔と、前記スリッパ本体部の前部に設けられたアッパー部と、を有してなることを特徴としている。
請求項２の考案は、スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたメッシュ素材製の上敷部と、前記ソール部の底面から中敷部の上面に向けて貫通形成された複数の貫通孔と、前記スリッパ本体部の前部に配設されると共にメッシュ素材製のアッパー部と、を有してなることを特徴としている。
請求項３の考案は、スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたハニカムメッシュ素材製の上敷部と、前記ソール部の底面から中敷部の上面に向けて貫通形成された複数の貫通孔と、前記スリッパ本体部の前部に配設されると共にハニカムメッシュ素材製のアッパー部と、を有してなることを特徴としている。
請求項４の考案は、スリッパ本体部と、このスリッパ本体部を構成すると共に前記スリッパ本体部の底側に配設された合成樹脂製のソール部と、このソール部と共に前記スリッパ本体部を構成すると共に前記ソール部の上に配設された合成樹脂製の中敷部と、前記ソール部と中敷部と共に前記スリッパ本体部を構成すると共に前記中敷部の上に配設されたハニカムメッシュ素材製の上敷部と、前記ソール部の底面から中敷部の上面に向けて貫通形成された複数の貫通孔と、前記スリッパ本体部の前部に配設されると共にハニカムメッシュ素材製のアッパー部と、前記上敷部の表面を覆う布素材で形成されたスリッパ本体部カバー布と、前記アッパー部の表面を覆う布素材で形成されたアッパー部カバー布と、を有してなることを特徴としている。
【考案の効果】
【０００５】
本考案のスリッパは、スリッパ本体部は芯材を設けておらず、またスリッパ本体部を構成するソール部と中敷部に貫通孔が複数形成されているので、スリッパを洗濯した場合の脱水乾燥時間を短くすることができるという優れた効果を有する。
また、本考案のスリッパは、スリッパ本体部を構成するソール部と中敷部に貫通孔が複数形成されているので、通気性に優れているという優れた効果を有する。
さらに、請求項４のスリッパは、上記優れた効果の他にスリッパ本体部がスリッパ本体部カバー布で覆われアッパー部がアッパー部カバー布で覆われているので、スリッパの外観品質を向上させることができると共にスリッパ本体部カバー布やアッパー部カバー布に絵柄やキャラクターを印刷することにより看者に対するスリッパの印象を変えることができるという優れた効果を有する。
【考案を実施するための最良の形態】
【０００６】
考案を実施するために最良の形態の例として以下のような実施例を示す。
【実施例１】
【０００７】
図１〜図４には本考案のスリッパの第１実施例が示されている。
図１及び図２に示されるように、このスリッパ１０の足を載せるスリッパ本体部１２は平面視略足型に形成されている。このスリッパ本体部１２の底側にはソール部１４が配設されている。このソール部１４は合成樹脂素材であるＥＶＡ素材（エチレンと酢酸ビニルを主成分として共重合した合成樹脂）をシート状にして形成されている。
図３及び図４に示されるように、このソール部１４の上にはソール部１４と共に前記スリッパ本体部１２を構成する中敷部１６が配設されている。この中敷部１６は合成樹脂素材であるＥＶＡ素材をシート状にして形成されている。なお、この中敷部１６は前記ソール部１４より薄く形成されている。
また、前記中敷部１６の上には前記ソール部１４と中敷部１６と共に前記スリッパ本体部１２を構成する上敷部１８が配設されている。この上敷部１８はメッシュ素材のハニカムメッシュで形成されている。なお、このハニカムメッシュは水分を吸わない化学繊維素材で形成されている。
前記スリッパ本体部１２の後部の中敷部１６と上敷部１８の間には合成樹脂素材の布材で形成された踵部補強体２２が配設されている。
また、図２及び図４に示されるように、前記中敷部１６と上敷部１８の周縁部は帯状の縁部布体２４によって覆われている。
図１及び図３に示されるように、前記ソール部１４の底面１４Ａから前記中敷部１６の上面１６Ａには垂直状の貫通孔２６が複数（この実施例では２１個）貫通形成されている。
図２及び図３に示されるように、前記スリッパ本体部１２の前部には足を掛けるアッパー部２８がアーチ状に配設されている。このアッパー部２８は前記上敷部１８と同様にメュシュ素材のハニカムメッシュで形成されている。
図２に示されるように、前記アッパー部２８の一端部２８Ａと他端部２８Ｂは前記上敷部１８の周縁部に配設され、前記中敷部１６と上敷部１８の周縁部と共に前記縁部布体２４によって覆われている。
図１及び図２に示されるように、前記縁部布体２４はミシンで縫われ、これにより前記ソール部１４と前記中敷部１６と前記上敷部１８と前記アッパー部２８は一体になっている。
【０００８】
第１実施例のスリッパ１０の作用を説明する。
前記スリッパ１０のスリッパ本体部１２のソール部１４と中敷部１６は合成樹脂材であるＥＶＡで形成されている。また、スリッパ本体部１２にはウレタン素材で形成された芯材は設けられていない。さらに、スリッパ１０のスリッパ本体部１２の上敷部１８とアッパー部２８も水分を吸わない化学繊維素材で形成されたハニカムメッシュで形成されている。
従って、前記スリッパ１０を洗濯機で洗濯してもスリッパ１０はほとんど吸水することはない。
洗濯機で洗濯して汚れを落としたスリッパ１０を脱水機で脱水するとスリッパ１０は脱水機の高速回転により高速回転する。このとき、スリッパ本体部１２のソール部１４と中敷部１６の間等に洗濯した際の水分が残っていても、残存水分は前記ソール部１４の底面１４Ａから前記中敷部１６の上面１６Ａにかけて貫通された複数の貫通孔２６を介して外部に排出されるためソール部１４と中敷部１６の間等に残存していた水分が抜かれる。
また、前記複数の貫通孔２６には空気が通過するので、これによってもスリッパ１０の乾燥を促進することができる。
この結果、実施例のスリッパ１０は洗濯してもほとんど吸水することがなく、脱水時に残存水分は複数の貫通孔２６から抜かれると共に複数の貫通孔２６に空気が通過することによりスリッパ１０を早く脱水乾燥することができる。
また、前記スリッパ１０は、スリッパ本体部１２のソール部１４の底面１４Ａから中敷部１６の上面１６Ａにかけて複数の貫通孔２６が形成されると共に上敷部１８とアッパー部２８はハニカムメッシュで形成されているため、通気性に富み、足が蒸れにくいので履き心地がよく、衛生的でもある。
【０００９】
図５及び図６には第２実施例のスリッパが示されている。なお、第１実施例のスリッパ１０と同一の構成は同一の符号を用いてその説明を省略する。
図５及び図６に示されるように、第２実施例のスリッパ３０の上敷部１８はスリッパ本体部カバー布３２で覆われている。このスリッパ本体部カバー布３２は布素材で形成されている。
また、図５に示されるように、前記スリッパ３０のアッパー部２８もアッパー部カバー布３４で覆われている。このアッパー部カバー布３４もスリッパ本体カバー布３２と同様に布素材で形成されている。
従って、第２実施例のスリッパ３０は、スリッパ本体部がスリッパ本体部カバー布３２で覆われ、アッパー部２８はアッパー部カバー布３４で覆われるので、看者に対して外観品質を高めることができる。
また、前記スリッパ本体部カバー布３２やアッパー部カバー布３４に絵柄やキャラクターを印刷することにより看者に対してスリッパ３０の印象を大きく変化させることができる。
なお、他の構成、作用、効果は第１実施例のスリッパ１０と同一であるのでその説明は省略する。
【００１０】
なお、実施例ではソール部１４及び中敷部１６に２１個の貫通孔２６を形成したが、貫通孔２６の数は２１個に限定されるものでないことは勿論である。
また、実施例ではソール部１４及び中敷部１６を合成樹脂材であるＥＶＡで製造した場合を例にして説明したが、前記ソール部１４及び中敷部１６の素材はＥＶＡに限定されるものでないことは勿論である。
【図面の簡単な説明】
【００１１】
【図１】第１実施例のスリッパをソール部側から見た全体斜視図である。
【図２】第１実施例のスリッパの全体斜視図である。
【図３】第１実施例のスリッパの縦断面図である。
【図４】第１実施例のスリッパの一部拡大縦断面図である。
【図５】第２実施例のスリッパの全体斜視図である。
【図６】第２実施例のスリッパの一部拡大縦断面図である。
【符号の説明】
【００１２】
１０    スリッパ
１２    スリッパ本体部
１４    ソール部
１６    中敷部
１８    上敷部
２６    貫通孔
２８    アッパー部
【図１】
0003134810.tif 000003
【図２】
0003134810.tif 000004
【図３】
0003134810.tif 000005
【図４】
0003134810.tif 000006
【図５】
0003134810.tif 000007
【図６】
0003134810.tif 000008